(57)【要約】【課題】釣竿の装着作業が容易であり、実釣において釣竿保持装置のセットアップを迅速に行える固定リング（釣竿保持器）の提供。【解決手段】この固定リング７１は、釣竿保持装置３０の構成要素として採用される。固定リング７１は、ヘッド３３と共に釣竿３４がベース３２に着脱される際に、釣竿３４に装着される部品である。固定リング７１は、リング部７４と、固定軸部７５とを有し、これらは樹脂により一体的に形成される。リング部７４は、囲繞帯７２と、囲繞帯７２の両端部に設けられた鈎爪７８、７９とを有する。鈎爪７８、７９は、囲繞帯７２の端部が屈曲されることにより形成されている。囲繞帯７２に指掛片８０が突設されている。【選択図】図６
2015216882.tif 000002
【特許請求の範囲】
【請求項１】
釣竿をベースに対して着脱可能に固定する釣竿保持装置に適用され、当該釣竿に装着される釣竿保持器であって、
上記釣竿のバット部を周方向に囲繞する弾性変形可能な囲繞帯と、
当該囲繞帯の両端部間に設けられ、当該両端部同士が引っ張られて互いに近接することにより上記囲繞帯が上記バット部を所定の緊迫力で締め付けた状態で上記両端部同士を連結し、あるいは連結された上記両端部同士の当該連結を解除する連結機構と、
上記囲繞帯のうち上記連結機構が設けられた部位以外の部位に突設された係合軸とを備えた釣竿保持器。
【請求項２】
上記連結機構は、
上記囲繞帯の一端部に設けられ、当該囲繞帯が引っ張られる方向の第１向きに突出する第１鈎爪と、
上記囲繞帯の他端部に設けられ、上記第１向きと対向する第２向きに突出する第２鈎爪とを有し、
上記第１鈎爪及び第２鈎爪は、互いに噛み合うことにより当該囲繞帯が上記バット部を締め付けた状態を維持するように屈曲形成されている請求項１に記載の釣竿保持器。
【請求項３】
上記第１鈎爪及び第２鈎爪のうち少なくともいずれか一方は、上記囲繞帯の幅方向に延びる凸条又は凹条により形成されている請求項２に記載の釣竿保持器。
【請求項４】
上記係合軸は、中実丸棒からなる請求項１から３のいずれかに記載の釣竿保持器。
【請求項５】
上記囲繞帯の両端部のうち少なくともいずれか一方に、指掛片が設けられている請求項１から４のいずれかに記載の釣竿保持器。
【発明の詳細な説明】
【技術分野】
【０００１】
本発明は、釣竿に装着される釣竿保持器の構造に関する。この釣竿保持器は、釣竿を船体等に対して着脱自在に支持する釣竿保持装置に適用されるものである。
【背景技術】
【０００２】
船釣りでは、釣竿は、一般に釣竿保持装置を介して船縁に支持される（たとえば特許文献１及び特許文献２参照）。釣竿保持装置は、船縁に固定される本体と、この本体の上部に設けられたヘッド部とを有する。
【０００３】
このヘッド部は、釣竿が載置されるシート部材及び当該シート部材と協働して釣竿の所定部（通常はバット部）をクランプする釣竿保持器を備えている。この釣竿保持器は、シート部材と直接に（特許文献１参照）あるいは締付ナットを介して（特許文献２参照）螺合されており、シート部材に対して接離することができるようになっている。そして、釣竿保持器がシート部材に近接することによって釣竿が両者間に挟み込まれ、当該釣竿がヘッド部に固定される。なお、上記釣竿保持器がシート部材から離反することによって、釣竿がヘッド部から外される。
【０００４】
ヘッド部は、上記釣竿を挟持した状態で上記本体に対して着脱機構を介して取り付けられる。ヘッド部が本体にロックされることにより、上記釣竿は船縁に固定され、また、上記ロックが解除されてヘッド部が本体から外されることにより、釣人は、釣竿を自由に操作することができる。
【０００５】
図１０は、従来の釣竿保持装置のヘッド部の構造を示す図である。
【０００６】
前述のようにヘッド部は釣竿に装着されるものであるが、この装着作業は、釣人にとって容易且つ迅速に行える必要がある。
【０００７】
同図（ａ）は、特許文献１が開示する釣竿保持装置に採用されたヘッド部の構造を示している。このヘッド部は、釣竿保持器１１と、シート部１２とを備えている。シート部１２は、支持部材１３とスタッド１４とを備えている。釣竿保持器１１は、リング部１５及び固定軸部１６を有し、固定軸部１６が軸方向に沿って二分割されている。釣竿１７がリング部１５内に挿通された後に、分割されている固定軸部１６が向かい合わされる。この状態で固定軸部１６が支持部材１３に挿通され、当該支持部材１３を挟んでスタッド１４が固定軸部１６に螺合される。これにより、釣竿１７が釣竿保持器１１に保持された状態で当該ヘッド部に装着される。
【０００８】
同図（ｂ）は、特許文献２が開示する釣竿保持装置に採用されたヘッド部の構造を示している。このヘッド部は、ソケット１８と、釣竿保持器１９と、装着リング２０とを備えている。装着リング２０の内周面にねじが形成されており、釣竿保持器１９の周面にも装着リング２０が螺合するねじが形成されている。装着リング２０はソケット１８の外側に嵌め込まれ、釣竿がソケット１８のシート面２１上に載置される。釣竿保持器１９が上記シート面２１上に載置された釣竿を上方から覆うように配置された後、装着リング２０が操作されることにより、当該装着リング２０と釣竿保持器１９とが螺合し、釣竿は、上記シート面２１に押し付けられて固定される。これにより、釣竿が釣竿保持器１１に保持された状態で当該ヘッド部に装着される。
【先行技術文献】
【特許文献】
【０００９】
【特許文献１】特許第４４８４７８６号公報
【特許文献２】特許第４２４０３３４号公報
【発明の概要】
【発明が解決しようとする課題】
【００１０】
従来の釣竿保持装置に採用されているヘッド部は、釣竿１７を着脱する作業が繁雑である。すなわち、同図（ａ）が示すヘッド部では、釣人は、スタッド１４を操作して固定軸部１６から外さない限り、釣竿保持器１１を釣竿１７から外すことができない。他方、同図（ｂ）が示すヘッド部では、釣人は、装着リング２０を操作して、当該装着リング２０と釣竿保持器１９との螺合を外さない限り、釣竿保持器１９を釣竿から外すことができない。そのため、ヘッド部を釣竿に着脱する作業の簡便性に欠けるという問題があった。
【００１１】
本発明は、かかる背景のもとになされたものであって、その目的は、釣竿の装着作業が容易であり、実釣において釣竿保持装置のセットアップを迅速に行える釣竿保持器を提供することである。
【課題を解決するための手段】
【００１２】
(1) 本発明に係る釣竿保持器は、釣竿をベースに対して着脱可能に固定する釣竿保持装置に適用され、当該釣竿に装着される。この釣竿保持器は、上記釣竿のバット部を周方向に囲繞する弾性変形可能な囲繞帯と、当該囲繞帯の両端部間に設けられ、当該両端部同士が引っ張られて互いに近接することにより上記囲繞帯が上記バット部を所定の緊迫力で締め付けた状態で上記両端部同士を連結し、あるいは連結された上記両端部同士の当該連結を解除する連結機構と、上記囲繞帯のうち上記連結機構が設けられた部位以外の部位に突設された係合軸とを備えている。
【００１３】
この構成によれば、囲繞帯が弾性変形され、その両端部同士が互いに離反されることにより、釣竿のバット部が容易に当該囲繞帯の内側に配置され、当該バット部は、囲繞帯により周囲を覆われる。この囲繞帯の両端部が引っ張られて互いに近接されると、連結機構により囲繞帯の両端部同士が連結される。これにより、上記バット部は、当該囲繞帯によって所定の緊迫力で締め付けられた状態となる。すなわち、当該囲繞帯は、上記緊迫力によって上記バット部に固定される。また、当該バット部に囲繞帯が固定されている状態で、当該囲繞帯の両端部同士が引っ張られると、当該両端部同士の連結が解除される。
【００１４】
さらに、上記係合軸が上記連結機構が設けられた部位以外の部位に突設されているから、当該係合軸は、専ら上記ベースに対して係合するための部材としてのみ機能することができる。換言すれば、仮に、従来のように係合軸が二分割等されており、当該係合軸が釣竿をクランプする機能をも兼ねているならば、係合軸がベースに対して着脱される際に、囲繞帯による釣竿のクランプも同時に解除されなければならない。すなわち、係合軸のベースに対する着脱作業が繁雑になる。これに対して本発明では、上記連結機構のみによって釣竿のクランプが維持され又は解除されるので、係合軸は、ベースに対して係合するための部材としてのみ機能することができる。
【００１５】
(2) 上記連結機構は、上記囲繞帯の一端部に設けられ、当該囲繞帯が引っ張られる方向の第１向きに突出する第１鈎爪と、上記囲繞帯の他端部に設けられ、上記第１向きと対向する第２向きに突出する第２鈎爪とを有する。上記第１鈎爪及び第２鈎爪は、互いに噛み合うことにより当該囲繞帯が上記バット部を締め付けた状態を維持するように屈曲形成されている。
【００１６】
この構成によれば、上記連結機構が第１鈎爪及び第２鈎爪を有し、これらが互いに対向している。したがって、上記囲繞帯が上記バット部を囲繞した状態で引っ張られるだけで、当該囲繞帯の両端部が互いに近接し、上記第１鈎爪及び第２鈎爪が噛み合う。すなわち、釣竿保持器を釣竿に取り付ける作業がきわめて簡単である。
【００１７】
(3) 上記第１鈎爪及び第２鈎爪のうち少なくともいずれか一方は、上記囲繞帯の幅方向に延びる凸条又は凹条により形成されているのが好ましい。
【００１８】
この構成によれば、上記第１鈎爪及び第２鈎爪が確実に噛み合い、釣竿保持器が確実に釣竿に取り付けられる。
【００１９】
(4) 上記係合軸は、中実丸棒から構成されるのが好ましい。
【００２０】
この構成によれば、係合軸の構造がきわめて簡単である。したがって、釣竿保持器の構造が簡略化され、製造コストも低減される。
【００２１】
(5) 上記囲繞帯の両端部のうち少なくともいずれか一方に、指掛片が設けられているのが好ましい。
【００２２】
この構成では、釣人は、上記指掛片に指を掛けて簡単に上記連結機構を操作することができる。すなわち、釣人は、上記第１鈎爪及び第２鈎爪を簡単に噛み合わせることができ、また、噛み合わされた第１鈎爪及び第２鈎爪を簡単に離すことができる。
【発明の効果】
【００２３】
この発明によれば、釣竿に対して釣竿保持器を着脱する機能は、連結機構が単独で発揮し、係合軸は、専ら当該釣竿保持器をベースに対して固定する機能を発揮する。したがって、釣竿は、釣竿保持器に装着されたままで、当該釣竿保持器がベースに着脱される。その結果、釣竿保持装置が使用される際に釣竿の装着作業が容易となり、釣人は、実釣において釣竿保持装置のセットアップを迅速に行える。
【図面の簡単な説明】
【００２４】
【図１】図１は、本発明の一実施形態に係る釣竿保持装置の外観斜視図である。
【図２】図２は、本発明の一実施形態に係る釣竿保持装置の外観斜視図である。
【図３】図３は、ベースの拡大斜視図である。
【図４】図４は、ソケットの拡大斜視図である。
【図５】図５は、ヘッドの分解斜視図である。
【図６】図６は、固定リングの拡大斜視図である。
【図７】図７は、固定フレームの拡大斜視図である。
【図８】図８は、係合機構の断面図である。
【図９】図９は、本実施形態の変形例に係る固定リング１１０の要部拡大斜視図である。
【図１０】図１０は、従来の釣竿保持装置による釣竿の保持構造を示す図である。
【発明を実施するための形態】
【００２５】
本発明の好ましい実施形態が、適宜図面が参照されながら説明される。なお、本実施の形態は、本発明に係る釣竿保持装置の一態様にすぎず、本発明の要旨を変更しない範囲で実施態様が変更されてもよいことは言うまでもない。
【００２６】
図１及び図２は、本発明の一実施形態に係る釣竿保持器が採用された釣竿保持装置の外観斜視図である。
【００２７】
＜全体構成及び特徴点＞
【００２８】
この釣竿保持装置３０は、主として船釣りにおいて釣人が釣竿３４を船縁等に固定する際に使用される。釣竿保持装置３０は、船縁等に固定されるベース３２と、このベース３２に対して着脱されるヘッド３３とを有する。後述されるように、このヘッド３３が釣竿３４に取り付けられ、釣竿３４は、ヘッド３３と共にベース３２に着脱される（図２参照）。この釣竿保持装置３０では、上記ヘッド３３にスタッド３５が設けられると共に、上記ベース３２にソケット３６が設けられている。このスタッド３５が上方からソケット３６に挿入されることにより、簡単に釣竿３４がベース３２に対して位置決めされる。また、スタッド３５がソケット３６に挿入された状態で、ヘッド３３に設けられた係合爪３７がソケット３６に形成された係合溝３８に係合し、釣竿３４がベース３２に対して位置決めされる。
【００２９】
本実施形態の特徴とするところは、この釣竿保持装置３０の構成要素として固定リング７１（特許請求の範囲に記載された「釣竿保持器」に相当）が採用されている点である。この固定リング７１は、ヘッド３３と共に釣竿３４がベース３２に着脱される際に、釣竿３４に装着される部品である。
【００３０】
以下、釣竿保持装置３０の構造が説明されつつ固定リング７１について詳述される。
【００３１】
＜ベース＞
【００３２】
図１及び図２が示すように、ベース３２は、金属又は樹脂からなり、上部材４０及び下部材４１と、下部材４１に設けられたねじ込み棒４２とを有する。下部材４１は、本実施形態では金属（典型的にはステンレス鋼）からなり、略Ｃ字状に形成されている。下部材４１は、上部材４０を支持している。上部材４０は、本実施形態では樹脂からなり、固定ねじ３１により下部材４１に締結されている。ねじ込み棒４２は、当接板３９を備えており、ねじ込み棒４２が操作されることにより、当接板３９と下部材４１の上辺部４７との間に上記船縁が挟み込まれるようになっている。つまり、ベース３２が上記船縁に固定される。
【００３３】
上部材４０は、載置アーム４５を備えている。載置アーム４５は、典型的には樹脂から構成される。載置アーム４５は、上部材４０の前端部にピン４８を介して連結されており、当該ピン４８を中心にして回動可能である。本実施形態では、載置アーム４５は、前側上方に反り上がるように湾曲しており、釣竿３４のバット部４９の前側を下方から支える。また、本実施形態では、載置アーム４５の下側に図示されていない調整ボルトがねじ込まれている。この調整ボルトが操作されることにより、載置アーム４５の起立起立角度が変化し、釣竿３４の支持角度が変更される。
【００３４】
図３は、ベース３２の拡大斜視図である。図４は、ソケット３６の拡大斜視図である。
【００３５】
上部材４０の後端部にソケット３６が設けられている。このソケット３６は、典型的には樹脂により構成される。ソケット３６は、連結部５１及び筒部５２を備えており、これらは一体的に形成されている。
【００３６】
図４が示すように、連結部５１は、天板５３と脚５４とを有する。天板５３は、本実施形態では矩形の板部材であって所定の肉厚を有する。もっとも、天板５３の形状は、矩形のほか他の形状であってもよい。天板５３の下面に一対の脚５４が突設されている。各脚５４は対向配置されており、脚５４の十分な剛性を確保するために補強板５５が設けられている。この補強板５５は、同図が示すように対向する脚５４間に掛け渡されている。対向する脚５４のそれぞれの中央部に貫通孔５６が設けられており、各貫通孔５６の中心軸線は一致している。
【００３７】
筒部５２は円筒状に形成されており、内部に係合凹部４６が形成されている。この係合凹部４６は、円形の真直孔からなる。係合凹部４６は、筒部５２の上面５８に開口しており、当該上面５８から下方に真っ直ぐに延びている。筒部５２の内径（すなわち、係合凹部４６の内径）は所定寸法に設定されており、後に詳述されるスタッド１３の外径に対応している。
【００３８】
本実施形態では、筒部５２の上部の外形形状は、円錐台である。したがって、筒部５２の外径は、上方に向かって漸次縮径されており、筒部５２の外周面５７は傾斜している。また、筒部５２の上面５８は、内側に向かって下方に傾斜している。すなわち、筒部５２の上面５８に面取加工が施されている。上記筒部５２の外周面５７が傾斜していること及び上記上面５８が傾斜していることによる作用効果は後述される。
【００３９】
さらに、筒部５２の下部の外径は縮径されている。これにより、筒部５２の下部に上記係合溝３８が形成されている。この係合溝３８は、筒部５２の下部の外周面に露出しており、釣人によって容易に目視される。本実施形態では、係合溝３８は、筒部５２の周方向に沿って設けられており、筒部５２を周回している。この係合溝３８が形成されることにより、筒部５２の中間部に段差５９が形成されている。
【００４０】
図３が示すように、ソケット３６は、固定軸６０を介して上部材４０に連結されている。上部材６０の後端部６２に上下方向に貫通する取付孔６１が形成されている。そして、この取付孔６１に連通するように、上記後端部６２に矢印６４の方向に沿って貫通孔６３が形成されている。
【００４１】
ソケット３６の脚５４が取付孔６１に挿入される。この取付孔６１は矩形状を呈しており、取付孔６１の内壁面形状は、脚５４の外形形状に対応している。したがって、脚５４は、がたつくことなく取付孔６１に嵌め込まれる。このとき、脚５４に設けられた貫通孔５６の中心軸と、上部材６０に設けられた貫通孔６３の中心軸とが一致する。そして、固定軸６０が貫通孔６３及び貫通孔５６に挿通されることにより、ソケット３６は、固定軸６０に支持された状態で、上部材４０に対して位置決めされる。なお、固定軸６０はつまみ６５を備えており、釣人は、このつまみ６５を操作して簡単に固定軸６０を上部材４０に挿入することができる。もっとも、このつまみ６５は省略されてもよい。
【００４２】
＜ヘッド＞
【００４３】
図１及び図２が示すように、ヘッド３３は、釣竿３４のバット部４９の後側（竿尻側）に装着されている。
【００４４】
図５は、ヘッド３３の分解斜視図である。なお、同図では、ソケット３６に対するヘッド３３の位置関係が明確となるように、ソケット３６も記載されている。
【００４５】
ヘッド３３は、釣竿３４に取り付けられる固定リング７１と、この固定リング７１にねじ込まれる上記スタッド３５と、これらの間に配置される固定フレーム７３とを有する。
【００４６】
＜固定リング＞
【００４７】
図６は、固定リング７１の拡大斜視図である。
【００４８】
固定リング７１は、リング部７４と、固定軸部７５（特許請求の範囲に記載された「係合軸」に相当）とを有する。固定軸部７５は、リング部７４の底面部７６に設けられている。固定軸部７５は、中実丸棒からなる円柱状を呈し、その周面に雄ねじ６９が形成されている。これらは典型的には樹脂（具体的には、ポリアミド（ＰＡ）やポリオキシメチレン（ＰＯＭ）等）により一体的に形成される。釣竿３４のバット部４９は、リング部７４の内側に配置される（図１及び図２参照）。
【００４９】
リング部７４は、囲繞帯７２と、囲繞帯７２の両端部間に設けられた鈎爪７８（特許請求の範囲に記載された「第１鈎爪」に相当）及び鈎爪７９（特許請求の範囲に記載された「第２鈎爪」に相当）とを有する。この囲繞帯７２は、上記樹脂から構成されるので、弾性を備える。本実施形態では、囲繞帯７２は、帯状の部材が湾曲されることにより構成されている。囲繞帯７２の幅寸法Ｂは、特に限定されるものではないが、１５ｍｍ〜３０ｍｍに設定され得る。また、囲繞帯７２の肉厚寸法は、１ｍｍ〜３ｍｍに設定され得る。囲繞帯７２は、上記底面部７６と、湾曲部７７とを備えている。湾曲部７７は、底面部７６の一端に連続し、略半円形を成すように上方に湾曲している。
【００５０】
底面部７６の他端部（囲繞帯７２の一端部）及び湾曲部７７の端部（囲繞帯７２の他端部）に、それぞれ上記鈎爪７８、７９が一体的に形成されている。これら鈎爪７８、７９が囲繞帯７２の両端部を連結する連結機構を構成している。鈎爪７８は、底面部７６の他端部から上方に立ち上がり、屈曲して下方（特許請求の範囲に記載された「第１向き」に相当）に延びている。一方、鈎爪７９は、湾曲部７７の端部から屈曲して上方（特許請求の範囲に記載された「第２向き」に相当）へ延びている。
【００５１】
釣人は、リング部７４を弾性変形させて開き、当該リング部７４内に釣竿３４を配置する。すなわち、釣竿３４のバット部４９の周面が囲繞帯７２によって囲繞される。この状態で、釣人が上記湾曲部７７の端部を下方に引き下げると、囲繞帯７２が引っ張られて弾性的に当該引張方向に伸び、鈎爪７９が鈎爪７８と噛み合う。これにより、囲繞帯７２によって釣竿３４が締め付けられて、確実に固定リング７１が釣竿３４に固定される。
【００５２】
同図が示すように、鈎爪７８及び鈎爪７９は、囲繞帯７２の幅方向に延びている。すなわち、鈎爪７８は、囲繞帯７２の一端部に山形の凸条が形成されることにより構成され、鈎爪７９は、囲繞帯７２の他端部にＶ字状の凹条が形成されることにより構成されている。もっとも、鈎爪７８、７９は、いずれも凸条又は凹条により構成されていてもよい。さらに、本実施形態では、鈎爪７８、７９は、共に囲繞帯７２の幅方向の全域に亘って延びているが、幅方向全域に形成されていなくてもよい。
【００５３】
囲繞帯７２の他端部、すなわち鈎爪７９の近傍に指掛片８０が設けられている。この指掛片８０は、囲繞帯７２と一体的に形成されている。図５が示すように、指掛片８０は、断面形状が矩形の凸条からなり、囲繞帯７２の幅方向に延びている。この指掛片８０に釣人が指を掛けることにより、囲繞帯７２の他端部を下方に引っ張りやすくなる。もっとも、この指掛片８０は省略されても良いし、囲繞帯７２の一端部、すなわち鈎爪７８の近傍に設けられていても良い。
【００５４】
＜固定フレーム＞
【００５５】
図７は、固定フレーム７３の拡大斜視図である。
【００５６】
固定フレーム７３は、固定リング７１の下方に配置されている（図５参照）。固定フレーム７３は、略円盤状に形成されたシート板８１と、一対の安定柱８２、８３と、操作レバー８４とを備えている。一対の安定柱８２、８３は、シート部８１と一体的に形成され、互いに対向して配置されている。操作レバー８４は、上記係合爪３７（図１及び図２参照）を備えており、安定柱８３に揺動可能に支持されている。
【００５７】
シート板８１及び安定柱８２、８３は、金属又は樹脂から構成されている。シート板８１は、所定の肉厚（５ｍｍ〜１５ｍｍ）の円盤状部材である。シート板８１の上面８５に上下方向に貫通する貫通孔８６が設けられている。この貫通孔８６の内径は、上記固定リング７１の固定軸部７５の外径に対応しており、図５が示すように、固定軸部７５が貫通孔８６に挿通される。また、図７に図示されていないが、シート部材８１の下面にも円形の孔が形成されている。この孔の中心軸線は、上記貫通孔８６の中心軸線と一致している。この孔は、シート部材８１の下面から上方に延びており、当該孔の深さはシート板８１の肉厚よりも浅い。したがって、シート板８１に内径が異なる二つの孔が設けられており、シート部材８１の裏面には段差が形成されている。本実施形態では、上記孔の内径は、上記スタッド３５（図５参照）の外形に対応している。
【００５８】
一対の安定柱８２、８３は、同一形状である。安定柱８２、８３は、図７が示すようにブロック状に形成されており、安定柱８３の背面に凹部８７が形成されている。この凹部８７に操作レバー８４の角部が挿入される。安定柱８３に同図が示すような貫通孔８８が設けられている。この貫通孔８８に後述のピン８９が挿入される。また、安定柱８２、８３の上面９０は、曲面である。この上面９０は、下方へ込んでおり、図１及び図２が示すように釣竿３４が安定して載置され得る。
【００５９】
操作レバー８４は、金属又は樹脂により構成されている。操作レバー８４は、図７が示すように略Ｌ字状に形成されており、操作レバー８４は、レバー部９１及び上記係合爪３７を備えている。これらは一体的に形成されており、結合爪３７が下方に延びており、レバー部９１は、水平方向、すなわち釣竿３４のバット部４９の長手方向に沿って延びている（図２参照）。操作レバー８４の角部、すなわちレバー部９１と係合爪３７との境界部に図示されていない貫通孔が形成されている。この貫通孔と上記安定柱８３に設けられた貫通孔８８とが位置合わせされ、これらに上記ピン８９が挿通されている。これにより、操作レバー８４は、安定柱８３にピン８９を介して連結されており、操作レバー８４は、ピン８９を中心として揺動することができる。
【００６０】
後に後述されるが、操作レバー８４が揺動する結果、係合爪３７が矢印９２の向きに変位することにより係合爪３７はロック姿勢となり、矢印９３の向きに変位することにより係合爪３７はロック解除姿勢となる。また、レバー部９１が釣竿３４のバット部４９に沿って延びているから、釣人が釣竿を握る操作と共にレバー部９１を容易に操作することができる。したがって、釣人は、レバー部９１を操作することにより、係合爪３７の姿勢を簡単に変えることができる。もっとも、このレバー部９１が省略されてもよい。
【００６１】
本実施形態では、ねじりコイルバネ１０１が操作レバー８４に内臓されている。このねじりコイルバネ１０１は、レバー部９１に設けられた溝１０２に収容されている。これにより、係合爪３７は、安定柱８３に対して常時矢印９２の方向、すなわち、ロック姿勢となるように弾性的に付勢されている。もっとも、このねじりコイルバネ１０１も省略されてもよい。
【００６２】
係合爪３７は、断面が矩形の棒状部材であり、レバー部９１に連続し且つ下方に延びている。係合爪３７の下端部９４は鈎状に形成されている。当該下端部９４が鈎状に形成されていることによる作用効果については、後述される。
【００６３】
＜スタッド＞
【００６４】
図２が示すように、釣竿３４のバット部４９が固定リング７１に挿通され、この固定リング７１が固定フレーム７３上に配置される。図５が示すように、固定リング７１の固定軸部７５がシート板８１の貫通孔８６に挿通されると、固定軸部７５は、シート板８１の裏面側へ突出する。そして、この固定軸部７５にスタッド３５がねじ込まれるようになっている。スタッド３５が固定軸部７５にねじ込まれると、当該スタッド３５は、上記シート板８１の孔に嵌め込まれた状態で締め付けられる。これにより、釣竿３４は、確実に固定リング７１及び固定フレーム７３に取り付けられる。
【００６５】
スタッド３５は、金属又は樹脂により構成され、本実施形態では、真直な円柱状に形成されている。このスタッド３５にネジ孔９５が設けられている。このネジ孔９５は、スタッド３５の上面から下方に延びており、ネジ穴９５の内径は、固定軸部７５の外径に対応している。本実施形態では、スタッド３５の下面９６は球面である。当該下面９６が球面であることによる作用効果は後述される。さらに、スタッド３５の周面に平面部９７が設けられている。本実施形態では、この平面部９７は、スタッド３５の周方向に均等に４箇所に設けられている。これら平面部９７が設けられることにより、釣人がスタッド３５を固定軸部７５にねじ込む作業を容易に行うことができる。もっとも、この平面部９７は省略されてもよい。
【００６６】
＜係合機構＞
【００６７】
前述のように、釣竿３４を把持した固定リング７１が固定フレーム７３上に配置され、固定リング７１にスタッド３５がねじ込まれることにより、ヘッド３３が釣竿３４に装着される。そして、釣竿３４を装着したヘッド３３は、係合機構１００を介してベース３２のソケット３６に係合される。
【００６８】
図８は、係合機構１００の断面図である。
【００６９】
係合機構１００は、ソケット３６並びに上記ヘッド３３に設けられたスタッド３５及び係合爪３７とを有する。
【００７０】
前述のようにヘッド３３が釣竿３４に装着された状態で、釣人が釣竿３４を持ち、スタッド３５を上方からソケット３６に挿入する。これにより、図８が示すように、スタッド３５がソケット３６の係合凹部４６に嵌り込む。スタッド３５が係合凹部４６に進入する際に係合爪３７が姿勢変化し、スタッド３５が係合凹部４６に嵌り込んだ時点で係合爪３７がロック姿勢となる。すなわち、係合爪３７がソケット３６の係合溝３８に嵌り込む。係合爪３７の下端部９４は鈎状に形成されているから、当該下端部９４が上記係合溝３８によって形成された段差５９と当接し、その結果、ヘッド３３は、係合爪３７がロック解除姿勢に変化して係合溝３８から離反しない限りソケット３６から外れることはない。
【００７１】
＜釣竿保持装置の使用要領と作用効果＞
【００７２】
この釣竿保持装置３０では、ベース３２がたとえば船縁に固定され、ヘッド３３が釣竿３４のバット部４９に固定される（図１及び図２参照）。前述のように、実釣において釣人は、釣竿３４をヘッド３３と共にベース上に載置する。このとき、ヘッド３３が係合機構１００を介してベース３２に固定される。具体的には、上記スタッド３５が上記ソケット３６に嵌め合わされる。図２及び図５が示すように、ソケット３６の係合凹部４６は上向きに開口しているから、釣人は、釣竿３４を操作しながら上記スタッド３５を上方から係合凹部４６に挿入する。スタッド３５が係合凹部４６に嵌め込まれるときに、係合爪３７は前述の姿勢変化を伴ってソケット３６の係合溝３８に係合する。これにより、スタッド３５とソケット３６との係合状態がロックされ、釣竿３４が船縁に固定される。一方、釣人が係合爪３７をロック解除姿勢に変化させることにより、スタッド３５はソケット３６から外れ、釣竿が船縁から取り外される。
【００７３】
このようにヘッド３３と共に釣竿３４がベース３２に対して着脱されるために、次の要領で上記固定リング７１が当該釣竿３４のバット部４９に装着される。
【００７４】
釣人が囲繞帯７２を弾性変形させて開くと、当該囲繞帯７２の両端部が大きく離反する。釣竿３４のバット部４９は、囲繞帯７２の内側に簡単に配置される。バット部４９は、囲繞帯７２により周囲を覆われる。釣人は、囲繞帯７２の他端部を下方に引っ張って弾性的に伸ばし、鈎爪７８、７９を互いに連結させる。これにより、上記バット部４９は、囲繞帯７２によって所定の緊迫力で締め付けられた状態となり、固定リング７１は、確実に上記バット部４９に固定される。また、バット部４９に囲繞帯７２が締め付けられている状態で、囲繞帯７２の端部が引っ張られると、さらに囲繞帯７２が伸ばされて、鈎爪７８、７９の噛み合わせが解除される。
【００７５】
特に、上記固定軸部７５が囲繞帯７２の底面部７６、すなわち上記鈎爪７８、７９が設けられた部位以外の部位に突設されているから、この固定軸部７５は、スタッド３５が螺合されるための専用部材、すなわち専らベース３２に対して係合するための部材としてのみ機能する。
【００７６】
詳述すれば、もし固定軸部７５が従来のように二分割されており、釣竿３４を囲繞帯７２に嵌め込む際に当該固定軸部７５も開閉するように構成されているならば、当該固定軸部７５がベースに対して着脱される際に、囲繞帯７２による釣竿３４のクランプも同時に解除されなければならず、作業が繁雑になる。これに対して本実施形態に係る固定リング７１では、上記鈎爪７８、７９によって釣竿３４のクランプが維持され又は解除されるので、固定軸部７５は、スタッド３５の螺合、すなわちベース３２に対して係合するための部材としてのみ機能する。
【００７７】
要するに、固定リング７１では、釣竿３４に対して着脱する機能は、鈎爪７８、７９によって発揮され、固定軸部７５は、専ら固定リング７１をベース３２に対して固定する機能を発揮する。したがって、釣竿３４が固定リング７１に装着されたままで、当該固定リング７１がベース３２に着脱される。その結果、釣竿保持装置３０が使用される際に釣竿３４の装着作業が容易となり、釣人は、実釣において釣竿保持装置３０のセットアップを迅速に行える。
【００７８】
本実施形態では、鈎爪７８、７９により囲繞帯７２を連結する機構が構成されているので、囲繞帯７２が上記バット部４９を囲繞した状態で引っ張られるだけで、鈎爪７８、７９が噛み合い、当該囲繞帯７２の両端部が簡単に連結される。また、鈎爪７８、７９は、囲繞帯７２に形成された凸条又は凹条により形成されるので、鈎爪７８、７９が確実に噛み合う。
【００７９】
さらに、固定軸部７５が中実丸棒から構成されているので、構造がきわめて簡単である。したがって、固定リング７１の構造が簡略化され、製造コストも低減される。また、囲繞帯７２に上記指掛片８０が設けられているから、鈎爪７８、７９を噛み合わせる作業並びに噛み合わせを解除する作業が簡単である。
【００８０】
加えて、この釣竿保持装置３０によれば、釣竿３４がヘッド３３と共にベース３２に位置決めされる操作は、ソケット３６の上面５８に露出した係合凹部４６に、釣人が上方からスタッド３５を挿入する動作により行われる。つまり、この動作は、凸部に対して凹部を被せるのではなく、容易に目視できる係合凹部４６に対してスタッド３５を上方から挿入するものであるから、ベース３２に対してきわめて簡単にヘッド３３を位置決めすることができる。さらに、係合機構１００によって、スタッド３５は、ソケット３６に対して確実にロックされる。上記係合溝３８は、ソケット３６の外周面に露出しているので、釣人は、容易にスタッド３５のロック状態（ソケット３６の外周面に設けられた係合溝３８に係合爪３７が係合している状態）を簡単に目視でき、釣人は、実釣において安心感を得る。
【００８１】
本実施形態では、操作レバー８４と係合爪３７とが一体的に形成されているので（図２及び図５参照）、釣人は、操作レバー８４を操作するだけで係合爪３７と係合溝３８との係合を解除することができる。しかも、操作レバー８４が釣竿３４のバット部４９の長手方向に沿って延びているから、釣竿３４を把持する動作と同時に操作レバー８４を操作して簡単に係合爪３７の姿勢を変化させることができる。
【００８２】
また、本実施形態では、上記ソケット３６の外形が円錐台であり、上記係合凹部４６が下方に延びる真直孔からなり、しかも上記係合溝３８がソケット３６の周方向に沿って形成されている。すなわち、係合機構１００の構造が簡単である。加えて、係合溝３８がソケット３６の周方向に延びているから、係合爪３７は、ソケット３６の周方向に移動することができる。したがって、釣竿３４は、ヘッド３３と共にベース３２に取り付けられた状態で、ベース３２に対して回転することができ、釣人にとって釣竿３４の操作がより簡単になる。
【００８３】
さらに、本実施形態では、図５が示すように、上記係合溝３８が上記ソケット３６を周回しているので、釣竿３４は、全方向に回動することができるという利点がある。もっとも、この係合溝３８は、上記ソケット３６を周回している必要はなく、外周面の一部に周方向に沿って形成されていてもよい。
【００８４】
また、図４及び図５が示すように、上記係合凹部４６の周縁部（すなわち、ソケット３６の筒部５２の上面５８）に面取加工が施されると共に、上記スタッド３５の下面９６が曲面に形成されているので、スタッド３５がソケット３６に挿入される際に、両者の位置が完全に一致していなくても、上記上面５８がスタッド３５を案内する。したがって、釣竿３４と共にヘッド３３をベース３２に固定する作業が一層簡単且つ確実なものとなる。
【００８５】
加えて、図５及び図７が示すように、上記係合爪３８は、常時ロック姿勢側（矢印９２の向き）に弾性的に付勢されている。したがって、釣人が釣竿３４を操作しながら上記スタッド３５を上方から係合凹部４６に挿入すると、上記係合爪３７が弾性力に抗してソケット３６の周面５７に沿って自動的に姿勢変化し、上記係合溝３８に嵌り込む。その結果、釣竿３４を固定する作業がなお一層容易になる。
【００８６】
＜設計変更例＞
【００８７】
図９は、本実施形態の変形例に係る固定リング１１０の要部拡大斜視図である。
同図は、囲繞帯１１１の両端部の形状を詳細に示している。
【００８８】
本変形例に係る固定リング１１０が上記実施形態に係る固定リング７１と異なるところは、上記実施形態では、囲繞帯７２の両端部に鈎爪７８、７９が形成され、両者が噛み合うことにより囲繞帯７２の端部同士が連結されていたのに対して、（図６参照）、本変形例では、図９が示すような連結構造により囲繞帯１１１の一端部１１２と他端部１１３とが係合されている点である。
【００８９】
同図が示すように、囲繞帯１１１の一端部１１２は、薄肉板状に形成されている。この一端部１１２は、先端延設部１１４を有する。この先端延設部１１４の中間部に囲繞帯１１１の幅方向（矢印１０９の方向）に突出した第１位置決め片１１６、１１７が形成されている。また、先端延設部１１４の先端に第２位置決め片１１８が設けられている。
【００９０】
他方、囲繞帯１１１の他端部１１３は、平板状に形成されている。当該他端部１１３に一対の壁面部材１１９、１２０が設けられている。これら壁面部材１１９、１２０は、所定の間隔ｓを空けて並設されており、この間隔ｓは、上記一端部１１２の幅寸法ｂに対応している。すなわち、先端延設部１１４は、壁面部材１１９、１２０の間に挿入され得る。また、上記他端部１１３に貫通孔１２１が形成されている。この貫通孔１２１は、本変形例では矩形に形成されており、後述のように上記先端延設部１１４が進入することができるようになっている。
【００９１】
さらに、この貫通孔１２１の周縁に、一対のストッパー１２２、１２３が立設されている。これらストッパー１２２、１２３は、同図が示すようにＬ字状を呈し、互いに対向するように配置されている。ストッパー１２２、１２３の高さは、上記先端延設部１１４の肉厚に対応されており、対向するストッパー１２２、１２３の間隔は、上記先端延設部１１４の先端寸法ｃに対応されている。したがって、先端延設部１１４がストッパー１２２、１２３の間に挿入されると、ストッパー１２２、１２３は先端延設部１１４の上面に当接し、第２位置決め片１１８は、貫通孔１２１の内部に進入する。
【００９２】
囲繞帯１１１の一端部１１２を他端部１１３に係合させる作業は、次の要領で行われる。まず、上記一端部１１２が図中上方から（つまり、壁面部材１１９、１２０を越えた位置から）斜めに貫通孔１２１に挿入される。これにより、先端延設部１１４が一旦貫通孔１２１に進入する。第１位置決め片１１６、１１７が壁面部材１１９、１２０を越えた時点で、一端部１１２が他端部１１３と平行に配置される。これにより、ストッパー１２２、１２３が図中上方から先端延設部１１４に当接し、第１位置決め片１１６、１１７が壁面部材１１９、１２０の内側に当接し、且つ第２位置決め片１１８が貫通孔１２１の壁面１２５と対向ないし当接する。つまり、一端部１１２は、他端部１１３に対して図中長手方向及び上下方向に位置決めされ、両者は確実に係合する。なお、一端部１１２を他端部１１３に対して傾斜させると（第２位置決め片１１８が貫通孔１２１に深く進入する方向に変位されると）、両者の係合は簡単に解除される。
【符号の説明】
【００９３】
３０・・・釣竿保持装置
３２・・・ベース
３３・・・ヘッド
３４・・・釣竿
４９・・・バット部
７１・・・固定リング
７２・・・囲繞帯
７４・・・リング部
７５・・・固定軸部
７６・・・底面部
７７・・・湾曲部
７８・・・鈎爪
７９・・・鈎爪
８０・・・指掛片
【図１】
2015216882.tif 000003
【図２】
2015216882.tif 000004
【図３】
2015216882.tif 000005
【図４】
2015216882.tif 000006
【図５】
2015216882.tif 000007
【図６】
2015216882.tif 000008
【図７】
2015216882.tif 000009
【図８】
2015216882.tif 000010
【図９】
2015216882.tif 000011
【図１０】
2015216882.tif 000012